(57)【要約】  本発明の実施例はタッチディスプレイ及び電子機器を提供する。該タッチディスプレイは表示部材と、前記表示部材の表示表面側に設けられ、かつタッチセンシング層を含むタッチ部材と、前記タッチセンシング層と前記表示部材との間に設けられる遮壁回路層と、前記タッチセンシング層と前記遮壁回路層との間に設けられる透明導電層と、を備え、前記遮壁回路層が前記タッチセンシング層とは等電位である。該電子機器は該タッチディスプレイを備える。
2015501055.tif 000002
【特許請求の範囲】
【請求項１】
タッチディスプレイであって、
表示部材と、
前記表示部材の表示表面側に設けられ、かつタッチセンシング層を含むタッチ部材と、
前記タッチセンシング層と前記表示部材との間に設けられる遮壁回路層と、
前記タッチセンシング層と前記遮壁回路層との間に設けられる透明絶縁層と、を備え、
前記遮壁回路層が前記タッチセンシング層とは等電位であることを特徴とするタッチディスプレイ。
【請求項２】
前記遮壁回路層と前記タッチセンシング層とは互いに電気的に接続されていることを特徴とする請求項１に記載のタッチディスプレイ。
【請求項３】
前記タッチセンシング層と前記遮壁回路層とは透明導電層であることを特徴とする前記請求項１または２に記載のタッチディスプレイ。
【請求項４】
前記透明導電層はインジウム錫酸化物層またはインジウム亜鉛酸化物層であることを特徴とする請求項３のいずれか一項に記載のタッチディスプレイ。
【請求項５】
前記表示部材は対向基板とアレイ基板とを備え、前記タッチセンシング層、遮壁回路層及び透明絶縁層が前記対向基板上に設けられることを特徴とする請求項１から４のいずれか一項に記載のタッチディスプレイ。
【請求項６】
前記表示部材は液晶表示パネルであり、かつ前記対向基板はカラーフィルタ基板であることを特徴とする請求項１から５のいずれか一項に記載のタッチディスプレイ。
【請求項７】
前記遮壁回路層と前記タッチセンシング層とに接続され、前記遮壁回路層と前記タッチセンシング層に同じ電圧を提供するための電圧供給部を備えたことを特徴とする請求項１から６のいずれか一項に記載のタッチディスプレイ。
【請求項８】
請求項１から７のいずれか一項に記載のタッチディスプレイを備えた電子機器。
【発明の詳細な説明】
【技術分野】
【０００１】
本発明の実施例は、タッチディスプレイ及び該タッチディスプレイを備える電子機器に関する。
【背景技術】
【０００２】
タッチスクリーンは抵抗式、コンデンサー式、表面熱線式、音波式など複数の種類に分けられる。タッチディスプレイはガラス表面に一層の透明の特殊な金属導電物質（タッチセンシング層）を貼ることで形成されることができる。指が金属層にタッチする時に、触点のコンデンサーは変化され、このように、それと接続する発振器の周波数を変化させる。周波数の変化を測量することによりタッチ位置の情報を得られる。液晶表示器（ＬＣＤ）に基づき製造されたオン・セル（ｏｎ  ｃｅｌｌ）式のコンデンサタッチスクリーンにおいて、タッチセンシング層と表示器との間に接地されたインジウム錫酸化物（ＩＴＯ）遮壁回路層が設けられる。タッチセンシング層（ＴＰ  Ｓｅｎｓｏｒ）部に電気信号を与える時に、タッチセンシング層がＩＴＯ遮壁回路層と結合コンデンサーを形成すると共に充放電現象が生じられる。このようにして、タッチセンシング層のコンデンサーに影響を及ぼし、作動に異常が起こされることがあり得る。
【発明の概要】
【発明が解決しようとする課題】
【０００３】
本発明の実施例は、表示部材と、前記表示部材の表示表面側に設けられ、かつタッチセンシング層を有するタッチ部材と、前記タッチセンシング層と前記表示部材との間に設けられる遮壁回路層と、前記タッチセンシング層と前記遮壁回路層との間に設けられ、かつ前記遮壁回路層と前記タッチセンシング層とが等電位である透明絶縁層と、を備えたタッチディスプレイを提供する。
【０００４】
本発明の別の実施例は、本発明のいずれか一つの実施例に記載のタッチディスプレイを有する電子機器を提供する。
【図面の簡単な説明】
【０００５】
本発明の実施例の技術案を明確にするために、以下は実施例の図面を簡単に説明する。明らかに、以下の図面はただ本発明の実施例に関わるのみであり、本発明に対する制限ではない。
【０００６】
【図１】従来技術におけるタッチディスプレイの構造の概略図である。
【図２】本発明の実施例にかかるタッチディスプレイの構成部分のブロック図を示す。
【図３】本発明の実施例にかかるタッチディスプレイの構造概略図である。
【図４】本発明の実施例にかかるタッチディスプレイの構造概略図である。
【図５】本発明の実施例にかかる他のタッチディスプレイの構造概略図である。
【図６】本発明の実施例にかかるタッチセンシング層の構造概略図である。
【発明を実施するための形態】
【０００７】
本発明に係る実施例の目的、技術案及び利点をより明確にするために、以下、本発明の実施例を表す図面を参照しながら、本発明の実施例を明確かつ完全に説明する。勿論、ここで記載された実施例は、ただ本発明の実施例の一部だけであり、本発明のすべての実施例ではない。本発明の実施例に基づき、当業者が創造的な労働を払わない前提で得られるほかの実施例は全て本発明の技術範囲に入る。
【０００８】
従来技術において、タッチディスプレイ１０の構造は図１に示すように、表示部材２０上方に設けられるタッチセンシング層１０１と遮壁回路層とは互いに絶縁され、遮壁回路層１０２は接地している。
【０００９】
本発明の実施例にかかるタッチディスプレイ３０は、図２に示すように、表示部材２０とタッチ部材（タッチ検出部材）１１とを備える。図３に示すように、該タッチ部材１１は該表示部材２０の上方に設けられる。つまり、該タッチ部材１１が該表示部材２０の表示表面側に設けられる。該タッチ部材１１はタッチセンシング層１０１を備え、該タッチセンシング層１０１と表示部材２０との間に遮壁回路層１０２が設けられ、タッチセンシング層１０１と該遮壁回路層１０２との間に透明の絶縁層１０３が設けられ、かつ遮壁回路層１０２がタッチセンシング層１０１とは等電位である。タッチセンシング層１０１上に保護層を設置することができ（図２に図示なし）、タッチセンシング層１０１が傷つけられることを防止するのに用いられる。
【００１０】
実施例において、遮壁回路層１０２はタッチセンシング層１０１とは等電位である。これは、遮壁回路層１０２とタッチセンシング層１０１とを電気的に接続することにより実現することができる。例えば、遮壁回路層１０２とタッチセンシング層１０１とは透明絶縁層１０３を貫通する導電通路（Ｖｉａ）を介して互いに電気的に接続することができる。
【００１１】
このように、タッチディスプレイの遮壁回路層は接地せず、かつタッチセンシング層とは等電位であり、電位差が存在しない。そのため、タッチセンシング層と遮壁回路層との間に結合コンデンサーの形成が避けられ、タッチセンシング層を正常に作動させる。
【００１２】
実施例において、タッチセンシング層と遮壁回路層は透明導電層であってもよい。このようにして、表示部材上に表示された情報がタッチセンシング層と遮壁回路層を通して見られる。例えば、該透明導電層はインジウム錫酸化物（ＩＴＯ）層、インジウム亜鉛酸化物（ＩＺＯ）層などの透明金属酸化物層であってもよい。
【００１３】
実施例において、図４に示すように、表示部材２０はアレイ基板２０２と対向基板２０１とを含んでもよい。タッチセンシング層１０１、遮壁回路層１０２と透明絶縁層１０３が対向基板２０１上に設けられる。例えば、表示部材２０は液晶表示パネル、有機発光とダイオード（ＯＬＥＤ）表示パネル、または他の適切なタイプの表示パネルであってもよい。表示部材２０が液晶表示パネルである場合に、対向基板２０１はカラーフィルタ基板であってもよい。
【００１４】
実施例において、図５に示すように、該タッチディスプレイ３０はタッチ部材１１の遮壁回路層とタッチセンシング層（図５に図示なし）とに接続される電圧供給部３０１を含んでもよい。電圧供給部３０１は前記遮壁回路層と前記タッチセンシング層に同じ電圧を提供することに用いられる。
【００１５】
該電圧供給部はタッチディスプレイにおける遮壁回路層にタッチセンシング層と同じ電圧を提供する。このように、遮壁回路層は接地せず、かつタッチセンシング層と同じ電圧が印加され、両者は電位差が存在しない。そのため、タッチディスプレイにおけるタッチセンシング層と遮壁回路層との間の結合コンデンサーの形成が避けられ、タッチセンシング層を正常に作動させる。
【００１６】
前記タッチディスプレイにおけるタッチ部材１０において、タッチセンシング層１０１以外に、他のいずれの適切な部材を含んでもよい。タッチセンシング層１０１に対して、既知のいずれの構造を採用することができる。例えば、当該タッチセンシング層１０１は図６に示す構造を有してもよい。図６に示すように、タッチセンシング層１０１は灰色の菱形で示される第１のセンシングパターンと白色の菱形で示される第２のセンシングパターンからなる。第１のセンシングパターンは列方向で接続線により互いに接続され、第２のセンシングパターンは行方向で接続線により互いに接続される。また、図に示す第１のセンシングパターンの接続線と第２のセンシングパターンの接続線は互いに交差しているが、実際にこれらの間に電気的に絶縁されている。したがって、行方向のセンシングパターンと列方向のセンシングパターンの容量の変化を検出することによりタッチ位置を確定することができる。ただし、上記具体的な構造は例示構造にすぎず、本発明の実施例にかかるタッチセンシング層はいずれの適切な構造であってもよい。
【００１７】
また、本発明は、本発明のいずれか一つの実施例に記載のタッチディスプレイを有する電子機器を提供する。例えば、該電子機器は携帯電話、タブレット、デジタルスチールカメラ、ビデオカメラ、カーナビなどであってもよい。
【００１８】
該電子機器において、タッチディスプレイにおける遮壁回路層とタッチセンシング層とは等電位であるため、タッチディスプレイにおけるタッチセンシング層と遮壁回路層との間に結合コンデンサーの形成が避けられ、タッチセンシング層を正常に作動させる。
【００１９】
前記実施例に対する説明によって、本発明の実施例は少なくとも以下の構造を提供することができる。
【００２０】
（１）タッチディスプレイであって、
表示部材と、
表示部材の表示表面側に設けられ、かつタッチ部材がタッチセンシング層を含むタッチ部材と、
前記タッチセンシング層と前記表示部材との間に設けられる遮壁回路層と、
前記タッチセンシング層と前記遮壁回路層との間に設けられる透明絶縁層と、を備え、
前記遮壁回路層が前記タッチセンシング層とは等電位であることを特徴とするタッチディスプレイ。
（２）前記遮壁回路層と前記タッチセンシング層とは互いに電気的に接続されていることを特徴とする前記（１）に記載のタッチディスプレイ。
（３）前記タッチセンシング層と前記遮壁回路層とは透明導電層であることを特徴とする前記（１）または（２）に記載のタッチディスプレイ。
（４）前記透明導電層はインジウム錫酸化物層またはインジウム亜鉛酸化物層であることを特徴とする前記（１）から（３）のいずれか一項に記載のタッチディスプレイ。
（５）前記表示部材は対向基板とアレイ基板とを備え、前記タッチセンシング層、遮壁回路層及び透明絶縁層が前記対向基板上に設けられることを特徴とする前記（１）から（４）のいずれか一項に記載のタッチディスプレイ。
（６）前記表示部材は液晶表示パネルであり、かつ前記対向基板はカラーフィルタ基板であることを特徴とする前記（１）から（５）のいずれか一項に記載のタッチディスプレイ。
（７）前記遮壁回路層と前記タッチセンシング層とに接続され、前記遮壁回路層と前記タッチセンシング層に同じ電圧を提供するための電圧供給部を備えたことを特徴とする前記（１）から（６）のいずれか一項に記載のタッチディスプレイ。
（８）（１）から（７）のいずれか一項に記載のタッチディスプレイを備えた電子機器。
【００２１】
以上は本発明の具体的な実施方式に過ぎず、本発明の保護範囲はそれに限定されない。本発明に開示された技術的範囲内における、当業者が容易に想到し得る変更や取替は、いずれも本発明の保護範囲内に入る。したがって、本発明の保護範囲は請求項に記載の保護範囲を基準にすべきである。
【符号の説明】
【００２２】
１０  タッチディスプレイ
１０１  タッチセンシング層
１０２  遮壁回路層
１０３  透明絶縁層
１１  タッチ部材
２０  表示部材
２０１  対向基板
２０２  アレイ基板
３０  タッチディスプレイ
３０１  電圧供給部
【図１】
2015501055.tif 000003
【図２】
2015501055.tif 000004
【図３】
2015501055.tif 000005
【図４】
2015501055.tif 000006
【図５】
2015501055.tif 000007
【図６】
2015501055.tif 000008
【国際調査報告】
2015501055.tif 000009
2015501055.tif 000010
2015501055.tif 000011
2015501055.tif 000012
2015501055.tif 000013
2015501055.tif 000014